(57)【要約】【課題】例えばヘッドマウントディスプレイなどの人体に接触する電子機器において、放熱性を向上させ、低温火傷を防止できるようにする。【解決手段】電子機器を、人体に接触する側に設けられ、下限臨界共融温度を持つ第１温度応答性ゲル及び冷媒が封入されており、伸縮可能な第１の袋１と、外側に露出するように設けられ、上限臨界共融温度を持つ第２温度応答性ゲルが封入されている第２の袋２とを備え、温度に応じて第１の袋と第２の袋との間で冷媒が移動しうるように、第１の袋と第２の袋とが連通しているものとする。【選択図】図１
2017201739.tif 000002
【特許請求の範囲】
【請求項１】
人体に接触する側に設けられ、下限臨界共融温度を持つ第１温度応答性ゲル及び冷媒が封入されており、伸縮可能な第１の袋と、
外側に露出するように設けられ、上限臨界共融温度を持つ第２温度応答性ゲルが封入されている第２の袋とを備え、
温度に応じて前記第１の袋と前記第２の袋との間で前記冷媒が移動しうるように、前記第１の袋と前記第２の袋とが連通していることを特徴とする電子機器。
【請求項２】
前記第１の袋が複数設けられており、
前記複数の第１の袋のそれぞれに一つずつ連通するように前記第２の袋が複数設けられていることを特徴とする、請求項１に記載の電子機器。
【請求項３】
前記第１の袋から前記第２の袋まで延びるように設けられた多孔質体を備えることを特徴とする、請求項１又は２に記載の電子機器。
【請求項４】
前記第１温度応答性ゲルの下限臨界共融温度が、前記第２温度応答性ゲルの上限臨界共融温度と一致していることを特徴とする、請求項１〜３のいずれか１項に記載の電子機器。
【請求項５】
ディスプレイと、
前記ディスプレイの外周に沿って設けられたクッションとを備え、
前記クッションの人体に接触する側に前記第１の袋が設けられており、
前記クッションの外周に前記第２の袋が設けられていることを特徴とする、請求項１〜４のいずれか１項に記載の電子機器。
【請求項６】
前記第２の袋が、人体に接触する側へ向けて伸縮可能に構成されていることを特徴とする、請求項５に記載の電子機器。
【発明の詳細な説明】
【技術分野】
【０００１】
本発明は、電子機器に関する。
【背景技術】
【０００２】
近年、例えばヘッドマウントディスプレイなどの人体に接触する電子機器の開発が進められている。
【先行技術文献】
【特許文献】
【０００３】
【特許文献１】特開２００８−９６３４１号公報
【特許文献２】特開２００９−９５６９１号公報
【発明の概要】
【発明が解決しようとする課題】
【０００４】
ところで、例えばヘッドマウントディスプレイなどの人体に接触する電子機器は、人体に装着するものであるため、騒音等の関係からファンを設けて冷却することができない。
また、このような電子機器では、できるだけ人体に伝熱しないような設計とすることが想定されるが、ファンのない自然空冷では熱抵抗に大きな差が生じないため、人体側へも伝熱してしまうことが予想される。
【０００５】
そして、温度上昇した電子機器が長時間にわたって人体と接触していると、低温火傷が懸念される。
本発明は、例えばヘッドマウントディスプレイなどの人体に接触する電子機器において、放熱性を向上させ、低温火傷を防止できるようにすることを目的とする。
【課題を解決するための手段】
【０００６】
１つの態様では、電子機器は、人体に接触する側に設けられ、下限臨界共融温度を持つ第１温度応答性ゲル及び冷媒が封入されており、伸縮可能な第１の袋と、外側に露出するように設けられ、上限臨界共融温度を持つ第２温度応答性ゲルが封入されている第２の袋とを備え、温度に応じて第１の袋と第２の袋との間で冷媒が移動しうるように、第１の袋と第２の袋とが連通している。
【発明の効果】
【０００７】
１つの側面として、例えばヘッドマウントディスプレイなどの人体に接触する電子機器において、放熱性を向上させ、低温火傷を防止できるという効果を有する。
【図面の簡単な説明】
【０００８】
【図１】（Ａ）〜（Ｃ）は、本実施形態にかかる電子機器の構成（ある温度以下の状態）を示す模式図であって、（Ａ）は斜視図であり、（Ｂ）は（Ａ）のＡ−Ａ′線に沿う断面を横から見た断面図であり、（Ｃ）は（Ａ）のＢ−Ｂ′線に沿う断面を上から見た断面図である。
【図２】（Ａ）、（Ｂ）は、本実施形態にかかる電子機器の構成（機器の一部がある温度よりも高くなった状態）を示す模式図であって、（Ａ）は図１（Ａ）のＡ−Ａ′線に沿う断面を横から見た断面図であり、（Ｂ）は図１（Ａ）のＢ−Ｂ′線に沿う断面を上から見た断面図である。
【図３】本実施形態にかかる電子機器に備えられる第１の袋が顔面に接触して遮光している状態を示す模式図であって、図１（Ａ）のＡ−Ａ′線に沿う断面を横から見た断面図である。
【図４】本実施形態にかかる電子機器の変形例において電子機器の一部がある温度よりも高くなった場合に第２の袋が顔面に接触して遮光している状態を示す模式図であって、図１（Ａ）のＡ−Ａ′線に沿う断面を横から見た断面図である。
【発明を実施するための形態】
【０００９】
以下、図面により、本発明の実施の形態にかかる電子機器について、図１〜図４を参照しながら説明する。
本実施形態にかかる電子機器は、例えばヘッドマウントディスプレイなどの人体に接触する電子機器である。なお、電子機器をモバイル機器あるいはウェアラブル機器ともいう。
【００１０】
本実施形態の電子機器は、冷却システムとして、図１（Ａ）〜図１（Ｃ）に示すように、人体に接触する側に設けられ、下限臨界共融温度を持つ第１温度応答性ゲル及び冷媒が封入されており、伸縮可能な第１の袋１と、外側に露出するように設けられ、上限臨界共融温度を持つ第２温度応答性ゲルが封入されている第２の袋２とを備える。なお、袋を袋状の容器ともいう。
【００１１】
そして、温度に応じて第１の袋１と第２の袋２との間で冷媒が移動しうるように、第１の袋１と第２の袋２とが連通している。つまり、第１の袋１と第２の袋２は冷媒が移動しうるように接続されている。
ここで、第１の袋１は、例えば樹脂やゴムからなる。つまり、第１の袋１は、樹脂製の袋又はゴム製の袋である。この第１の袋１は、その中に封入されている第１温度応答性ゲルの膨張・収縮に応じて膨張・収縮することになる（例えば図１（Ｂ）、図２（Ａ）参照）。また、第１の袋１は、人体に接触する側に設けられるため、第１の袋１の表面が人体に接触することになる。
【００１２】
また、第２の袋２も、第１の袋１と同様に、伸縮可能な袋とするのが好ましい。この場合、第２の袋２は、例えば樹脂やゴムからなる。つまり、第２の袋２は、樹脂製の袋又はゴム製の袋である。この第２の袋２は、その中に封入されている第２温度応答性ゲルの膨張・収縮に応じて膨張・収縮することになる（例えば図１（Ｂ）、図２（Ａ）参照）。また、第２の袋２は、外側に露出するように設けられるため、空気にさらされることになる。
【００１３】
そして、これらの第１の袋１と第２の袋２とは、隣接して設けられており、互いに接続されていて、冷媒が移動しうるように連通している。
ところで、第１の袋１が複数設けられており、複数の第１の袋１のそれぞれに一つずつ連通するように第２の袋２が複数設けられていることが好ましい。これにより、例えばヒートスポットに対応する位置に設けられている一部の袋（第１の袋１）だけを人体から離すことが可能となる。
【００１４】
また、第１の袋１から第２の袋２まで延びるように設けられた多孔質体３を備えることが好ましい。ここで、多孔質体３としては、例えばゼオライト、シリカゲルなどを用いれば良い。これにより、冷媒の移動が容易となる。
この場合、多孔質体３は、第１の袋１の第２の袋２が設けられている側の反対側から第２の袋２の第１の袋１が設けられている側の反対側まで延びるように設けられていることがさらに好ましい。これにより、第１の袋１と第２の袋２の接続部近傍のみでなく、遠い側まで冷媒を送ることが可能となり、ゲルひいては袋の膨張・収縮を大きくし、第１の袋１を人体から確実に離し、また、第２の袋２からより効率的に放熱させることが可能となる。
【００１５】
例えば、多孔質体３の一方の側を第１の袋１の中に挿入し、他方の側を第２の袋２の中に挿入し、第１の袋１と第２の袋２とを多孔質体３を介して接続し、多孔質体３を介して第１の袋１と第２の袋２との間で冷媒が移動するようにして第１の袋１と第２の袋２とが連通するようにすれば良い。
このように、第１の袋１と第２の袋２とが多孔質体３を介して連通するようにすることで、冷媒としての水だけが第１の袋１と第２の袋２との間を移動し、第１温度応答性ゲルは第１の袋１の中に留まり、第２温度応答性ゲルは第２の袋２の中に留まるようにすることができる。
【００１６】
なお、第１の袋１と第２の袋２とは冷媒が移動しうるように連通していれば良く、例えばストローのような流路によって接続し、その流路に、ゲルが通過せず、冷媒のみが通過するようにフィルタを設けるようにしても良い。
また、第１温度応答性ゲルは、下限臨界共融温度（ＬＣＳＴ：Lower Critical Solution Temperature）よりも高い温度で疎水性を示し、下限臨界共融温度以下の温度で親水性を示す高分子である。つまり、第１温度応答性ゲルは、下限臨界共融温度よりも高い温度で収縮し、下限臨界共融温度以下の温度で膨張する高分子である。
【００１７】
また、第２温度応答性ゲルは、上限臨界共融温度（ＵＣＳＴ：Upper Critical Solution Temperature）以下の温度で疎水性を示し、上限臨界共融温度よりも高い温度で親水性を示す高分子である。つまり、第２温度応答性ゲルは、上限臨界共融温度以下の温度で収縮し、上限臨界共融温度よりも高い温度で膨張する高分子である。
そして、第１温度応答性ゲルの下限臨界共融温度が、第２温度応答性ゲルの上限臨界共融温度と一致していることが好ましい。
【００１８】
つまり、下限臨界共融温度と上限臨界共融温度とが一致するような高分子を、第１温度応答性ゲル及び第２温度応答性ゲルとして選択するのが好ましい。この場合、第１温度応答性ゲルの下限臨界共融温度≒第２温度応答性ゲルの上限臨界共融温度となる。
これにより、第１の袋１と第２の袋２との間で冷媒が移動しやすくすることができる。
ここで、ある温度以上になった状態で長時間人体に接触していると低温火傷のおそれがある場合、ある温度（一定温度）＝第１温度応答性ゲルの下限臨界共融温度≒第２温度応答性ゲルの上限臨界共融温度という関係を満たすように第１温度応答性ゲル及び第２温度応答性ゲルを選択すれば良い。
【００１９】
例えば、人体温度付近で動作する第１温度応答性ゲルとしては、N−イソプロピルアクリルアミド、メチルセルロース、ポリエチレンオキシド等を用いれば良く、第２温度応答性ゲルとしては、ポリ（アリルアミン-co-アリルウレア）、ポリアクリル酸、ポリアセチルアクリルアミド等を用いれば良い。
この場合、このようにして選択された第１温度応答性ゲル及び第２温度応答性ゲルを、互いに連通している第１の袋１及び第２の袋２のそれぞれに封入すると、ある温度以下では、第１温度応答性ゲルは親水性となり、第２温度応答性ゲルは疎水性となる。
【００２０】
このため、図１（Ｂ）、図１（Ｃ）に示すように、ある温度以下では、第１温度応答性ゲルが含水して膨張し、第１温度応答性ゲルが封入されている第１の袋１も膨張して、第１の袋１の表面が人体に接触することになる。
一方、ある温度よりも高い温度になると、第１温度応答性ゲルは疎水性となり、第２温度応答性ゲルは親水性となる。
【００２１】
このため、図２（Ａ）、図２（Ｂ）に示すように、ある温度よりも高い温度になると、第１温度応答性ゲルが収縮し、第１温度応答性ゲルが封入されている第１の袋１も収縮して、第１の袋１の表面が人体に接触する面積が低下する、あるいは、第１の袋１の表面が人体に接触しなくなる。このようにして、温度が高くなった第１の袋１を人体から離して、低温火傷を防止することができる。
【００２２】
そして、ある温度よりも高い温度になると、冷媒である水、即ち、温度上昇した水は、第１の袋１から第２の袋２へ移動し、第２の袋２に封入されている第２温度応答性ゲルが含水して膨張し、これに伴い、第２の袋２も膨張することになる。そして、第２の袋２は、外側に露出するように設けられているため、効率良く放熱させることができ、放熱性を向上させることができる。
【００２３】
また、ある温度よりも高い温度になった後、再度、ある温度以下になると、図１（Ｂ）、図１（Ｃ）に示すように、元の状態に戻り、第１温度応答性ゲルが含水して膨張し、第１温度応答性ゲルが封入されている第１の袋１も膨張して、第１の袋１の表面が人体に接触することになり、このような一連の動作が繰り返されることになる。
例えば、電子機器がヘッドマウントディスプレイ（ＨＭＤ）である場合、図１（Ａ）〜図１（Ｃ）に示すように、ディスプレイ４と、ディスプレイ４の外周に沿って設けられたクッション５とを備える。そして、クッション５の人体に接触する側に第１の袋１を設け、クッション５の外周に第２の袋２を設けることが好ましい。なお、図１（Ｃ）では、多孔質体３やディスプレイ４は図示を省略している。
【００２４】
この場合、第１の袋１の膨張時には、図３に示すように、第１の袋１の表面が人体（ここでは顔）に接触することになる。つまり、機器の温度がある温度以下の温度である場合、複数の第１の袋１の全てが膨張して全周にわたって顔に接触することで遮光され、遮光性が確保されるようになっている。なお、図３では、顔の表面の位置を点線で示している。
【００２５】
また、第２の袋２を、人体に接触する側へ向けて伸縮可能に構成されているものとしても良い（例えば図４参照）。
例えば、第２の袋２を、長細いゴム風船のように異方性の伸縮性を持つものとし、その膨張時に、人体に接触する側へ向けて伸長するように設ければ良い。また、例えば、第２の袋２の上方に板状部材を設け、第２の袋２が、膨張時に、人体に接触する側へ向けて伸長するようにしても良い。
【００２６】
このような場合、第２の袋２の膨張時には、図４に示すように、第２の袋２の端部が人体（ここでは顔）に接触することになる。つまり、機器の温度がある温度よりも高くなった場合、第１の袋１が収縮し、これに接続されている第２の袋２が膨張して、その端部が顔に接触することで遮光され、遮光性が確保されることになる。なお、図４では、顔の表面の位置を点線で示している。
【００２７】
例えば、機器の一部の温度がある温度よりも高くなった場合、温度が高くなっていない部分の第１の袋１は膨張して顔に接触したままで、温度が高くなった部分の第１の袋１が収縮し、これに接続されている第２の袋２が膨張して、その端部が顔に接触することで、全周にわたって遮光され、遮光性が確保されることになる。
この場合、人体に接触する部分が第１の袋１から第２の袋２になり、接触箇所が変わるため、低温火傷のおそれはない。
【００２８】
なお、クッション５をクッション部又は人体接触部ともいう。この場合、第１の袋１は、人体接触部の人体接触面に設けられることになる。また、第２の袋２は、人体接触部の側面に設けられることになる。
このように、上述のように構成される冷却システムをヘッドマウントディスプレインに適用するのが好ましいのは、以下の理由による。
【００２９】
ヘッドマウントディスプレイでは、周囲の光の影響でディスプレイが見にくくなるため、ディスプレイの人体接触側に設置されたクッションが顔表面と全面で接触するようにして遮光している。
一方、ヘッドマウントディスプレイでは、クッション側に伝熱しないような設計とすることが想定されるが、ファンのない自然空冷では熱抵抗に大きな差が生じないため、人体側へも伝熱されることが予想される。そして、長時間にわたって人体と接触していると機器が温度上昇したときに、低温火傷が懸念される。
【００３０】
これまで、ユーザーの安全性と遮光性を両立できる方法はなかった。
そこで、上述のように構成される冷却システムをヘッドマウントディスプレイに適用することで、ある温度以下では機器と人体が全面で接触しているが、ある温度よりも高い温度になると人体との接触面積が低下し、低温火傷を防止することが可能となる。
したがって、本実施形態にかかる電子機器によれば、例えばヘッドマウントディスプレイなどの人体に接触する電子機器において、放熱性を向上させ、低温火傷を防止できるという効果を有する。
【００３１】
以下、電子機器がゴーグル型のヘッドマウントディスプレイである場合を例に挙げて、具体的に説明する。
この具体例では、クッション５の人体接触側に第１温度応答性ゲル及び冷媒（ここでは水）が封入された第１の袋１が複数設けられており、クッション５の側面側に第２温度応答性ゲルが封入された第２の袋２が複数設けられている（例えば図１（Ａ）〜図１（Ｃ）参照）。
【００３２】
そして、多孔質体３の一方の側が第１の袋１の中に挿入されており、他方の側が第２の袋２の中に挿入されている（例えば図１（Ｂ）参照）。
これにより、第１の袋１と第２の袋２とが多孔質体３を介して接続され、多孔質体３を介して第１の袋１と第２の袋２との間で冷媒が移動するようにして第１の袋１と第２の袋２とが連通するようにしている。
【００３３】
ここでは、第１温度応答性ゲルは、下限臨界共融温度よりも高い温度で疎水性を示し、下限臨界共融温度以下で親水性を示す高分子である。また、第２温度応答性ゲルは、上限臨界共融温度以下で疎水性を示し、上限臨界共融温度よりも高い温度で親水性を示す高分子である。
そして、第１温度応答性ゲルの下限臨界共融温度≒第２温度応答性ゲルの上限臨界共融温度となるように、第１温度応答性ゲルとしてN−イソプロピルアクリルアミドを用い、第２温度応答性ゲルとしてポリ（アリルアミン-co-アリルウレア）を用いている。
【００３４】
この場合、クッション５がある温度以下では、第１温度応答性ゲルは、親水性となり、含水して膨張するため、これが封入されている複数の第１の袋１の表面が、すべて顔に接触し、遮光されることになる（例えば図１（Ａ）〜図１（Ｃ）、図３参照）。これにより、遮光性が確保される。
一方、ヘッドマウントディスプレイの一部（例えば発熱部品としてのチップやバックライトなどが設けられている部分）の温度が上昇してヒートスポットができると、これに応じて、それに対応する位置のクッション５の温度がある温度よりも高い温度になる。
【００３５】
そうすると、温度が高くなった部分に対応する位置に設けられている一部の袋（第１の袋１）に封入されている第１温度応答性ゲルは、疎水性となり、収縮し、複数の第１の袋１のうち一部の第１の袋１の表面が顔に接触しなくなる（例えば図２（Ａ）、図２（Ｂ）参照）。
これにより、遮光性をできるだけ確保しながら、低温火傷を防止することが可能となる。
【００３６】
そして、ある温度よりも高い温度になると、温度上昇した水は、第１の袋１から第２の袋２へ移動し、第２の袋２に封入されている第２温度応答性ゲルが含水して膨張することになる（例えば図２（Ａ）参照）。
また、クッション５の側面に設けられた第２の袋２は、外側に露出するように設けられているため、効率良く放熱されることになる（例えば図２（Ａ）参照）。
【００３７】
また、ある温度よりも高い温度になった後、冷媒としての水、クッション５の温度が低下し、再度、ある温度以下になると、元の状態に戻る（例えば図１（Ａ）〜図１（Ｃ）参照）。
つまり、第１温度応答性ゲルが含水して膨張し、第１温度応答性ゲルが封入されている複数の第１の袋１の表面がすべて顔に接触し、遮光されることになる（例えば図１（Ａ）〜図１（Ｃ）参照）。
【００３８】
このようにして、一連の動作が繰り返され、ある温度以下になると、クッション５に設けられた複数の第１の袋１の表面がすべて顔に接触し、遮光性が確保され、機器の一部がある温度よりも高い温度になると、複数の第１の袋１のうち一部の第１の袋の表面が顔に接触しなくなって接触面積が低下し、遮光性はやや損なわれるものの、低温火傷の防止が可能となる。
【００３９】
ここで、第１温度応答性ゲルと人体の界面の平均的な熱伝導率を約０．１Ｗ／ｍ・Ｋ（空気と高分子が混在すると仮定）、伝熱距離（ゲルの厚さ）を約５ｍｍとすると、第１温度応答性ゲルと人体との熱抵抗は約５００Ｋ・ｃｍ２／Ｗとなる。
また、自然放熱の熱伝達率を約１０Ｗ／ｍ２・Ｋとすると、第２温度応答性ゲルと環境との熱抵抗は約１０００Ｋ・ｃｍ２／Ｗとなる。
【００４０】
また、第１温度応答性ゲルと人体との熱抵抗の方が第２温度応答性ゲルと環境との熱抵抗よりも小さいが、一般に人体の方が環境よりも高温であり、ゲルと環境との温度差の方が大きいと予想される。
例えば、ゲルの温度を約３９℃、人体の温度を約３７℃、環境温度を約２５℃と仮定すると、第１温度応答性ゲルから人体への伝熱量は約０．００４Ｗであるが、第２温度応答性ゲルから環境への伝熱量は約０．０１４Ｗと約３倍以上となる。
【００４１】
このため、クッション５の側面に設けられた第２の袋２に封入されている第２温度応答性ゲルからの方が効率良く放熱されることになる。この結果、高い消費電力でも対応可能となる。
また、第２の袋２を、人体に接触する側（即ち、クッション５の側面に平行な方向）へ向けて伸縮可能に構成されているものとすると（例えば図４参照）、機器の温度が上昇し、第２温度応答性ゲルが膨張し、第２の袋２が膨張した時に、クッション５の側面から効率良く放熱されるとともに、第２の袋２の端部が顔の表面に接触し、これによって遮光されることになる。
【００４２】
この場合、顔に接触する部分が第１の袋１から第２の袋２になり、接触箇所が変わるため、低温火傷のおそれはない。
したがって、ヘッドマウントディスプレイと顔表面とが接触して遮光性が確保されるようにするとともに、ヘッドマウントディスプレイの温度上昇時には接触面積が低下するようにし、低温火傷を防止することが可能となる。
【００４３】
なお、本発明は、上述した実施形態に記載した構成に限定されるものではなく、本発明の趣旨を逸脱しない範囲で種々変形することが可能である。
以下、上述の実施形態に関し、更に、付記を開示する。
（付記１）
人体に接触する側に設けられ、下限臨界共融温度を持つ第１温度応答性ゲル及び冷媒が封入されており、伸縮可能な第１の袋と、
外側に露出するように設けられ、上限臨界共融温度を持つ第２温度応答性ゲルが封入されている第２の袋とを備え、
温度に応じて前記第１の袋と前記第２の袋との間で前記冷媒が移動しうるように、前記第１の袋と前記第２の袋とが連通していることを特徴とする電子機器。
【００４４】
（付記２）
前記第１の袋が複数設けられており、
前記複数の第１の袋のそれぞれに一つずつ連通するように前記第２の袋が複数設けられていることを特徴とする、付記１に記載の電子機器。
（付記３）
前記第１の袋から前記第２の袋まで延びるように設けられた多孔質体を備えることを特徴とする、付記１又は２に記載の電子機器。
【００４５】
（付記４）
前記多孔質体は、前記第１の袋の前記第２の袋が設けられている側の反対側から前記第２の袋の前記第１の袋が設けられている側の反対側まで延びるように設けられていることを特徴とする、付記３に記載の電子機器。
（付記５）
前記第１温度応答性ゲルの下限臨界共融温度が、前記第２温度応答性ゲルの上限臨界共融温度と一致していることを特徴とする、付記１〜４のいずれか１項に記載の電子機器。
【００４６】
（付記６）
ディスプレイと、
前記ディスプレイの外周に沿って設けられたクッションとを備え、
前記クッションの人体に接触する側に前記第１の袋が設けられており、
前記クッションの外周に前記第２の袋が設けられていることを特徴とする、付記１〜５のいずれか１項に記載の電子機器。
【００４７】
（付記７）
前記第２の袋が、人体に接触する側へ向けて伸縮可能に構成されていることを特徴とする、付記６に記載の電子機器。
【符号の説明】
【００４８】
１  第１の袋
２  第２の袋
３  多孔質体
４  ディスプレイ
５  クッション
【図１】
2017201739.tif 000003
【図２】
2017201739.tif 000004
【図３】
2017201739.tif 000005
【図４】
2017201739.tif 000006